(57)【要約】【課題】様々な品物を梱包することが可能であり、梱包作業をしながら梱包した品物の配送方法を把握することができる梱包材を提供する。【解決手段】複数の配送方法に対応する梱包ガイドが付された梱包材であって、前記梱包材は、前記梱包ガイドに基づいて複数のサイズを変更可能であり、前記梱包材には、当該梱包ガイドに基づいてサイズを変更した場合の配送方法に関する情報が付されている梱包材。【選択図】図１
2020121803.tif 000002
【特許請求の範囲】
【請求項１】
複数のサイズに変更可能とする梱包ガイドを有し、
前記梱包ガイドにより変更可能な各サイズに応じた配送方法に関する情報が付されている
ことを特徴とする梱包材。
【請求項２】
前記梱包ガイドは、折り目を示す指標であって、前記折り目に沿って、折りたたむことによりサイズを変更し、
前記折り目の方向に延在した房状の緩衝材を内包する
ことを特徴とする請求項１に記載の梱包材。
【請求項３】
前記緩衝材は、前記折り目の方向に延在した房状のエアバックと、前記エアバックに空気を導入するエアバルブと、を備えるエアクッションである
ことを特徴とする請求項２に記載の梱包材。
【請求項４】
サイズ変更後の外面に、発送作業に関する情報が付されている
ことを特徴とする請求項１乃至請求項３のいずれか１項に記載の梱包材。
【発明の詳細な説明】
【技術分野】
【０００１】
本発明は、梱包材に関する。
【背景技術】
【０００２】
近年、インターネット上のオークションサイト等が利用することにより、個人で出品した品物を梱包して発送する作業を行う機会が増えている（例えば、特許文献１等）。
【先行技術文献】
【特許文献】
【０００３】
【特許文献１】特開２０１７−２０８０２９号公報
【発明の概要】
【発明が解決しようとする課題】
【０００４】
オークションサイト等に出品される品物の大きさや形状等はそれぞれ品物によって大きく異なる。そのような様々な大きさや形状等の品物を梱包するためには、オークションサイト等の出品者が、品物にあった箱や袋、封筒等を用意しなければならない。また、品物を壊れないように梱包するためには、出品者が箱や袋、封筒等と品物の間に充填するために緩衝材も用意しなければならない。
【０００５】
さらに、梱包後の発送品の大きさは、品物や梱包する資材の大きさによって大きく異なる。そのため、梱包作業を終えて発送する際に、梱包後の発送品を送るための送料がいくらかかるのか発送窓口に持って行くまで分からなかった。そのことから、出品者が料金について不安を感じることがあった。
【０００６】
一般の消費者であるオークションサイト等の出品者にとって「梱包」と「集荷・配送」に関連する、配送方法や料金を事前に調査することは煩雑な作業である。
【０００７】
本発明は、上記事情に鑑みて、これを解決するためになされたものであり、様々な品物を梱包することが可能であり、梱包作業をしながら梱包した品物の配送方法を把握することができる梱包材を提供することを目的とする。
【課題を解決するための手段】
【０００８】
開示の技術は、複数の配送方法に対応する梱包ガイドが付された梱包材であって、前記梱包材は、前記梱包ガイドに基づいて複数のサイズを変更可能であり、前記梱包材には、当該梱包ガイドに基づいてサイズを変更した場合の配送方法に関する情報が付されている梱包材である。
【発明の効果】
【０００９】
本開示の梱包材を用いることによって、様々な品物を梱包することが可能であり、梱包作業をしながら梱包した品物の配送方法を把握することができる。
【図面の簡単な説明】
【００１０】
【図１】第１の実施形態の梱包材の全体図の一例を示す図である。
【図２】第１の実施形態の梱包材を折りたたんだ状態の一例を示す図である。
【図３】第１の実施形態の梱包材を折りたたんだ状態の一例を示す図である。
【図４】第２の実施形態の梱包材のエアクッションの一例を示す図である。
【図５】梱包ガイドの第１の変形例を示す図である。
【図６】梱包ガイドの第２の変形例を示す図である。
【図７】梱包ガイドの第３の変形例を示す図である。
【図８】梱包材の梱包方法の変形例を示す図である。
【図９】梱包材の変形例を示す図である。
【発明を実施するための形態】
【００１１】
最初に、発送作業、梱包作業、配送作業、配送方法、梱包ガイドについて説明する。
【００１２】
発送作業とは、品物を送る者が送る品物を業者等の窓口に持ち込んで品物を送り出す作業である。コンビニエンスストアのレジや配送業者、郵便局の窓口等の送る品物を受け取る配送窓口が窓口の一例である。また、ポストに投函できるものであれば、ポストも窓口の一例である。なお、配送業者が送る品物を引き取りにくる場合は、配送業者に品物を渡して送り出す作業が発送作業である。
【００１３】
梱包作業とは、品物を送る者が、品物を発送するために、品物を梱包材や緩衝材を用いて包む作業である。以下、梱包を行う対象の品物を梱包対象、梱包作業を行った品物を梱包品とよぶ。
【００１４】
配送作業とは、配送業者が窓口で受け付けた品物を配達先まで配達する作業である。
【００１５】
配送方法とは、配送業者が品物を配送する方法である。配送方法は、配送業者（例えば、○○運輸、○○郵便等）、配送業者のサービス名（例えば△△便、△△パック等）、サイズ（例えば、××サイズ、定形サイズ等）等により特定される。それぞれの配送方法により送料が定められている。また、それぞれの配送方法により品物を受け取る窓口、重さ、匿名配送の可否、配送保証の有無、集荷の可否等が定められている。品物を送る者は、配送される品物のサイズや重量、送料等を考慮して、配送方法を選択する。例えば、品物を送る者は、送る品物のサイズに適した配送方法を選択する。
【００１６】
梱包ガイドとは、梱包作業の際に、梱包材を複数の配送方法に対応したサイズに変更可能とするためのマーク又は部材である。当該梱包ガイドによりサイズを変更すれば、梱包材を複数の配送方法に対応させることができる。
【００１７】
以下に図面を参照して本実施形態について説明する。
【００１８】
＜第１の実施形態＞
図１は、第１の本実施形態の梱包材１０の全体図の一例を示す図である。
【００１９】
第１の実施形態の梱包材１０は、封筒１００を備える。封筒１００には、梱包ガイド１１０と、配送方法関連情報１２０と、発送手順情報１３０と、が付されている。なお、本実施形態の梱包材１０では、封筒１００を用いているが、封筒に限らず、例えば、紙袋、ビニール袋等の袋状の部材を用いてもよい。
【００２０】
本実施形態の梱包ガイド１１０は、梱包材１０を複数の配送方法に対応したサイズに変更可能とするために付された線１１１と、線１１２である。梱包作業者は、梱包ガイド１１０の線１１１、１１２により梱包作業を行う。本実施形態の梱包ガイド１１０の線１１１、１１２は、封筒１００の表面に印刷された直線である。梱包作業者は、梱包対象を封筒１００に入れて、梱包対象の大きさに応じて、梱包ガイド１１０の線１１１又は線１１２で図１の紙面奥側に折りたたんで、留めることにより梱包を行う。このように、梱包ガイド１１０の線１１１、線１１２は、梱包材１０を梱包作業で折りたたむ際の折り目を示す指標となっている。配送方法は、各配送業者等により定められており、例えば、品物のサイズ等により、どの配送方法が適用できるか定まっている。本開示の梱包材では、梱包ガイドによりサイズを変更して梱包することにより、特定の配送方法に対応するようになっている。
【００２１】
図２は、梱包対象を封筒１００に入れてから、第１の実施形態の梱包材１０を梱包ガイド１１０の線１１１で折りたたんだ状態の梱包品１１を示す図である。図３は、梱包対象を封筒１００に入れてから、第１の実施形態の梱包材１０を梱包ガイド１１０の線１１２で折りたたんだ状態の梱包品１２を示す図である。このように、梱包ガイド１１０の線１１１又は１１２に基づいて、梱包材１０のサイズを変更することが可能である。
【００２２】
ここで、梱包品１１、１２を送る際の配送方法について説明する。
【００２３】
例えば、梱包対象を封筒１００に入れて梱包ガイド１１０の線１１１で折りたたんで梱包した梱包品１１は、縦、横、厚さの合計が最大Ｌｃｍになるように形成されている。すなわち、梱包ガイド１１０の線１１１は、梱包材１０のサイズ変更後に、縦、横、厚さの合計が最大Ｌｃｍになる位置に付されている。縦、横、厚さの合計が最大Ｌｃｍである梱包品１１を配送可能な配送方法（以下、配送方法Ａという。）があれば、梱包品１１を配送方法Ａで送ることができる。言い換えれば、梱包品１１を配送方法Ａで配送することができるように梱包材１０に梱包ガイド１１０の線１１１が付されている。
【００２４】
また、本実施形態の梱包材１０は、梱包対象を封筒１００に入れて梱包ガイド１１０の線１１２で折りたたんで梱包すると、例えば所定の定形サイズになる。すなわち、梱包ガイド１１０の線１１２は、梱包材１０のサイズ変更後に、所定の定形サイズになるように付されている。定形サイズの梱包品を配送可能な配送方法（以下、配送方法Ｂという。）があれば、梱包品１２を配送方法Ｂで送ることができる。言い換えれば、梱包品１１を配送方法Ｂで配送することができるように梱包材１０に梱包ガイド１１０の線１１１が付されている。
【００２５】
なお、本実施形態の梱包ガイド１１０の線１１１、１１２は、直線であったが、形状は直線に限らない。例えば、曲線や直線と曲線の組み合わせでもよい。また、線の太さや種類については、適宜変更してもよい。例えば、線の種類を、点線や一点鎖線等にしてもよい。また、線として、領域を色分けした境界線を用いてもよい。例えば、線１１１より上部の領域を色Ｃ１（例えば赤）、線１１１と線１１２の間の領域を色Ｃ２（例えば緑）、線１１２より下部の領域を色Ｃ３（例えば青）に色分けして、それぞれの色の境界線１１１、１１２を梱包ガイドとして用いてもよい。
【００２６】
次に、配送方法関連情報１２０について説明する。配送方法関連情報１２０は、第１配送方法関連情報１２１と第２配送方法関連情報１２２を備える。
【００２７】
本実施形態の第１配送方法関連情報１２１は、本実施形態の梱包ガイド１１０の線１１１で折りたたんだ梱包品１１の配送方法に関する情報である。本実施形態の第１配送方法関連情報１２１では、「参考：ここで留めると配送方法は、配送方法Ａになります。」と文字による情報である。
【００２８】
本実施形態の第２配送方法関連情報１２２は、本実施形態の梱包ガイド１１０の線１１２で折りたたんだ梱包品１２の配送方法に関する情報である。本実施形態の第２配送方法関連情報１２２では、「参考：ここで留めると配送方法は、配送方法Ｂになります。」と文字による情報である。
【００２９】
配送方法関連情報１２０では、「配送方法Ａ」、「配送方法Ｂ」のように、配送方法を直接表示していることから、配送方法を直接把握することができる。配送方法の記載としては、配送業者のサービス名やオプション、タイプでもよい。また、配送方法以外にも、配送方法関連情報１２０としては、配送業者、送料、配送受付場所、サイズ、重さ、匿名配送の可否、配送保証の有無、集荷の可否等の配送に関する情報やそれらの組み合わせでもよい。
【００３０】
なお、配送方法関連情報１２０は、上記に限らず、例えば、配送方法の情報が記載されているインターネット上のホームページのＵＲＬ（Ｕｎｉｆｏｒｍ  Ｒｅｓｏｕｒｃｅ  Ｌｏｃａｔｏｒ）等を表示してもよい。また、配送方法関連情報１２０は、文字に限らず、バーコード、二次元バーコード、イラスト等を用いてもよい。例えば、バーコードをスマートフォン等の情報処理端末で読み込んで、アプリによって配送方法に関する情報を表示するようにしてもよい。
【００３１】
なお、発送方法関連情報については、配送方法関連情報１２０のように分けて記載してもよいし、一カ所にまとめて記載してもよい。
【００３２】
配送方法関連情報１２０は、梱包ガイド１１０により変更可能な各サイズに応じた配送方法に関する情報の一例である。
【００３３】
次に、発送手順情報１３０について説明する。
【００３４】
発送手順情報１３０は、梱包した梱包品を発送する手順について説明する図である。例えば、発送する際のスマートフォン等の情報処理端末操作手順や配送受付場所の情報等が記載されている。発送手順情報１３０は、図２、図３に示すように、梱包ガイド１１０の線１１１、１１２に基づいてサイズを変更して梱包しても、梱包後に梱包作業者がみることができるような場所に付されている。具体的には、梱包材１０のサイズ変更後の外面に表示されている。発送手順情報１３０は、発送作業に関連する情報の一例である。
【００３５】
上述のように、本実施形態にかかる梱包材１０は、梱包ガイド１１０により複数のサイズを変更することができる。それによって、様々な大きさの梱包対象に対応することができる。また、サイズを変更後の梱包材１０の梱包品は、所定の配送方法に対応したサイズになっている。それによって、一つの梱包材１０で複数の配送方法に対応させることができる。さらに、配送方法関連情報１２０が付されていることから、梱包作業を行いながら配送方法に関する情報、例えば、配送業者、送料、配送受付場所等の把握することができる。
【００３６】
なお、配送方法関連情報１２０、発送手順情報１３０の形成方法については、適宜定めることができる。例えば、印刷してもよいし、シール等を貼付してもよい。以下の実施形態、変形例についても同様である。また、梱包ガイド１１０の線１１１、１１２は、シール等を貼付して形成してもよい。
【００３７】
＜第２の実施形態＞
図４は、第２の実施形態の梱包材１５のエアクッション２００の一例を示す図である。第１の実施形態の梱包材１０と同様に、梱包材１５の封筒１００には、梱包ガイド１１０と、配送方法関連情報１２０と、発送手順情報１３０と、が付されている。
【００３８】
第２の実施形態の梱包材１５は、第１の実施形態の封筒１００に緩衝材としてエアクッション２００を内包している。
【００３９】
エアクッション２００は、エアバルブ２１０と、パイプ２２０と、複数のエアバック２３０と、を備える。
【００４０】
エアバルブ２１０は、空気を充填する充填口となるとともに、充填した空気が抜けないようにするバルブである。例えば、エアポンプをエアバルブ２１０に接続して、空気を導入することによって、後述する複数のエアバック２３０に空気を充填する。
【００４１】
パイプ２２０は、エアバルブ２１０から導入した空気を複数のエアバック２３０に導入するためのパイプである。
【００４２】
各エアバック２３０は、横方向に延在した細長い袋状の空気が充填される部材である。エアバック２３０によって、梱包する品物を保護することができる。なお、エアバック２３０は、梱包ガイド１１０の線１１１、１１２の延在方向、すなわち、梱包材１５を折りたたむ際の折り目の方向、に延在して、縦方向に並んで房状に備えられている。また、二つのエアバック２３０の間に対応する位置に梱包ガイド１１０の線１１１、１１２が配置されている。それによって、梱包材１５を梱包ガイド１１０の線１１１、１１２に沿って折りたたみやすくすることができる。
【００４３】
梱包対象を梱包材１５に入れてサイズを変更した後に、エアバック２３０に空気を充填する。梱包材１５においても、梱包ガイド１１０は、充填後に所定の配送方法に対応したサイズになるように形成されている。例えば、上述のように、梱包対象を封筒１００に入れて梱包ガイド１１０の線１１１で折りたたんで梱包すれば、梱包品を配送方法Ａで送ることができる。また、梱包対象を封筒１００に入れて梱包ガイド１１０の線１１２で折りたたんで梱包すれば配送方法Ｂで送ることができる。
【００４４】
エアバック２３０に空気を入れていない状態では、梱包材１５の大きさはほぼ封筒１００の大きさと等しく折りたたむことも可能である。オークションサイトの出品者が、梱包用の資材を調達する手間を省くことができるように、オークションサイトの運営者が梱包用の資材を出品者に送付することがある。上述のように、梱包材１５の大きさはほぼ封筒１００の大きさと等しく折りたたむことも可能であることから、オークションサイトの運営者が、出品者に、梱包材１５を宅配便や郵便等で容易に送ることができる。なお、その際には、エアポンプ等のエアを充填するための部材を同封してもよい。さらに、エアを充填する作業手順を封筒１００に表示してもよい。
【００４５】
上記のようにエアクッション２００を備えることにより、梱包対象を配送時の衝撃等から保護することができる。また、エアクッション２００を内包することにより、緩衝材を別途用意する手間を削減することができる。さらに、作業としてはエアクッション２００に空気を充填すればよいので、梱包作業者の技量によらず梱包を行い、梱包対象を適切に保護することできる。さらにまた、使用後は空気を抜くことにより、廃棄も容易に行うことができる。
【００４６】
このように、本実施形態の梱包材１５に用いることによって、梱包作業者は、梱包対象を封筒１００にいれて、梱包ガイドによりサイズを変更して、エアクッション２００に空気を入れるという単純な作業により梱包作業を行うことができる。
【００４７】
なお、エアクッション２００は、封筒１００の内面の片面に形成してもよいし、両面に形成してもよい。両面に形成する場合は、袋状に形成してもよい。
【００４８】
また、本実施形態において、緩衝材としてエアクッションを用いているが、梱包材はエアクッションに限らない。例えば、緩衝材として、ウレタンフォーム、おがくず、ビーズ等を用いてもよい。その場合も、折り目の方向に延在した房状に設けることが望ましい。さらに、折り目の位置が、房状の緩衝材において緩衝材の少ない又は緩衝材がない部分になるようにするとよい。
【００４９】
＜変形例＞
図５は、梱包ガイドの第１の変形例を示す図である。なお、第１の実施形態の梱包材１０と同様に、梱包材２０の封筒１００には、配送方法関連情報と、発送手順情報と、が付されているが、図５では省略する。
【００５０】
本変形例の梱包材２０は、梱包ガイド１１０として、第１の実施形態の梱包材１０の横方向の線１１１、１１２に加えて、縦方向の線１１３を備える。このように、縦方向の線を備えることによって、よりサイズが大きく異なるような配送方法に対応することができる。例えば、線１１２と線１１３で折りたたんだサイズの梱包品と、線１１１で折りたたんだサイズの梱包品のように、線１１３を用いることにより、横の幅を変更することも可能となる。
【００５１】
図６は、梱包ガイドの第２の変形例を示す図である。なお、第１の実施形態の梱包材１０と同様に、梱包材３０の封筒１００には、配送方法関連情報と、発送手順情報と、が付されているが、図６では省略する。
【００５２】
本変形例の梱包材３０は、梱包ガイド３１０を備える。梱包ガイド３１０は、マーク３１１−１、３１１−２、３１１−３、３１１−４、３１２−１、３１２−２、３１２−３、３１２−４を備える。このように、梱包ガイドを線以外で構成することができる。
【００５３】
本変形例の梱包材３０は、第１の実施形態の梱包材１０の梱包ガイド１１０の線１１１に換えて、形状が三角形のマークであるマーク３１１−１、３１１−２、３１１−３、３１１−４を備える。梱包作業者は、マーク３１１−１、３１１−２、３１１−３、３１１−４に沿って折り曲げることによって、梱包材３０のサイズを変更することができる。
【００５４】
また、第１の実施形態の梱包材１０の梱包ガイド１１０の線１１２に換えて、マーク３１２−１、３１２−２、３１２−３、３１２−４を備える。梱包作業者は、マーク３１２−１、３１２−２、３１２−３、３１２−４に沿って折り曲げることによって、梱包材３０のサイズを変更することができる。
【００５５】
なお、マークの形状については、三角形に限らない。例えば、四角形等の多角形や丸、星形、短い線等にしてもよい。また、マークの数についても変更してもよい。
【００５６】
図７は、梱包ガイドの第３の変形例を示す図である。なお、第１の実施形態の梱包材１０と同様に、梱包材４０の袋４００には、配送方法関連情報と、発送手順情報と、が付されているが、図７では省略する。
【００５７】
本変形例の梱包材４０は、袋４００と、紐４１１、４１２を備える。紐４１１又は紐４１２によって袋４００の口を閉めてしばることによって、梱包材４０のサイズを変更して梱包することが可能である。すなわち、紐４１１、４１２が梱包ガイド４１０を構成する。このように、梱包ガイドを、梱包材を複数の配送方法に対応したサイズに変更可能とするための部材により構成することができる。
【００５８】
図８は、梱包材の梱包方法の変形例を示す図である。なお、第１の実施形態の梱包材１０と同様に、封筒１００には、配送方法関連情報と、発送手順情報と、が付されているが、図８では省略する。
【００５９】
第１の実施形態の梱包材１０では、梱包ガイド１１０の線１１１、１１２で折りたたんでいたが、図８の変形例のように、梱包ガイド１１０の線１１１、１１２等で切りはなしてもよい。例えば、線１１１、１１２、１１３に沿ってはさみやナイフ等の刃物で切ることによって、切りはなすようにしてもよい。また、線１１１、１１２、１１３にあらかじめ切り取り用の破線状の孔（いわゆるミシン目）を形成して、手で切りはなすようにしてもよい。
【００６０】
図９は、梱包材の変形例を示す図である。なお、第１の実施形態の梱包材１０と同様に、梱包材５０のシート５００には、配送方法関連情報と、発送手順情報と、が付されているが、図９では省略する。
【００６１】
第１の実施形態の梱包材１０と第２の実施形態の梱包材１５では封筒１００を用いていたが、梱包材は封筒のような袋状のものに限らない。例えば、図９の梱包材５０のシート５００のように、紙や布等を用いてもよい。図９（Ａ）は梱包材５０をおもて面側から見た正面図、図９（Ｂ）は梱包材５０を裏面側から見た背面図である。
【００６２】
梱包材５０のシート５００のおもて面には、梱包ガイド５１０のマーク５１１−１、５１１−２、５１１−３が形成されている。また、梱包材５０のシート５００のおもて面には、梱包ガイド５１０のマーク５１２−１、５１２−２、５１２−３が形成されている。梱包材５０の裏面の中心に梱包対象を置いて、梱包を行う。図９（Ｃ）のように、シート５００のおもて面のマーク５１１−１とマーク５１１−２の位置をあわせるように折りたたんで留める。さらに、図９（Ｄ）のように、シート５００のおもて面のマーク５１２−１とマーク５１２−２の位置をあわせるように折りたたんで留める。そのように折りたたんで留めることによって、梱包対象を梱包する。
【００６３】
梱包材５０においては、マーク５１１−１とマーク５１１−２の位置をあわせて、マーク５１２−１とマーク５１２−２の位置をあわせるか、マーク５１１−１とマーク５１１−３の位置をあわせて、マーク５１２−１とマーク５１２−３の位置をあわせるか、によって、サイズを変更することができる。
【００６４】
なお、封筒や袋、シートの材質については、梱包可能であればどのようなものでもよい。例えば、紙、ビニール等の樹脂、ゴムシート、布等でもよい。なお、紙については、包装紙や段ボール、厚紙等でもよい。
【００６５】
また、折りたたんだ場合に封筒１００やシート５００等を留めるために、粘着シートや線ファスナー、面ファスナー等を備えるようにしてもよい。さらに、粘着シートや線ファスナー、面ファスナー等を複数用意して、粘着シートで留める場所により、梱包材のサイズを変更するようにしてもよい。その場合には、粘着シートや線ファスナー、面ファスナー等が梱包ガイドになる。
【００６６】
また、折りたたんだ場合に封筒１００やシート５００等を留めるために、ホックやマグネットの留め具、バックル、ボタン等を用いてもよい。さらに、ホックやマグネットの留め具、バックル、ボタン等を複数の箇所に備えるようにして、留める場所によって梱包材のサイズを変更するようにしてもよい。その場合には、ホックやマグネットの留め具、バックル、ボタン等が梱包ガイドとなる。
【００６７】
なお、本実施形態の梱包材は、個人や法人（例えば、梱包発送の代行を行う業者）の従業員が使用することができる。
【符号の説明】
【００６８】
１０、１５、２０、３０、４０、５０  梱包材
１１０、３１０、４１０、５１０  梱包ガイド
１２０  配送方法関連情報
１３０  発送手順情報
２００  エアクッション
２１０  エアバルブ
２３０  エアバック
【図１】
2020121803.tif 000003
【図２】
2020121803.tif 000004
【図３】
2020121803.tif 000005
【図４】
2020121803.tif 000006
【図５】
2020121803.tif 000007
【図６】
2020121803.tif 000008
【図７】
2020121803.tif 000009
【図８】
2020121803.tif 000010
【図９】
2020121803.tif 000011